Podtech/llm-jp-corpus-v4-ja_patent huggingface dataset:
【手続補正書】
【提出日】令和3年10月7日(2021.10.7)
【手続補正１】
【補正対象書類名】特許請求の範囲
【補正対象項目名】全文
【補正方法】変更
【補正の内容】
【特許請求の範囲】
【請求項１】
ａ．上昇した温度でＭＨＣ分子から解離するテンプレートペプチドが前記ＭＨＣ分子のペプチド結合溝に結合しているＭＨＣ分子を低下した温度で提供するステップと；
ｂ．温度を上昇した温度に変更して、前記ＭＨＣ分子から前記テンプレートペプチドを解離させるステップと；
ｃ．前記ＭＨＣ分子のペプチド結合溝に結合する望ましいペプチドと前記ＭＨＣ分子を、前記望ましいペプチドが前記ＭＨＣ分子のペプチド結合溝に結合できる条件下で、上昇した温度で接触させるステップと、を含み、
前記ＭＨＣ分子は好ましくはヒト白血球抗原−（ＨＬＡ−Ａ）分子であり、
前記低下した温度が１０℃以下の温度であり、好ましくは、前記低下した温度が４℃以下であり、
前記上昇した温度が１５℃以上の温度であり、好ましくは、前記上昇した温度が２０℃〜４０℃であり、
好ましくはステップｂ）およびｃ）を同時に実施することを特徴とするＭＨＣ分子の製造方法。
【請求項２】
テンプレートペプチドが結合しているＭＨＣ分子過剰において望ましいペプチドが提供され、好ましくは、過剰が少なくとも約５倍、１０倍、２０倍、３０倍、５０倍、１００倍もしくは２００倍モル過剰であるか、かつ／または
ステップａ）において、単量体として、少なくとも２つのＭＨＣ分子を含む複合体として、または多量体として、ＭＨＣ分子が提供されるか、かつ／または
前記ＭＨＣ分子が、前記ＭＨＣ分子と、少なくとも１つの他の分子、好ましくは少なくとも１つの他のタンパク質、好ましくは少なくとも１つの他のＭＨＣ分子と、を含む複合体の一部であるか、かつ／または
前記ＭＨＣ分子がヒトＨＬＡ−Ａ分子であり、前記ＨＬＡ−Ａ分子が、好ましくはＨＬＡ−Ａ＊０２およびＨＬＡ−Ａ＊０２：０１から選択されるか、かつ／または
前記テンプレートペプチドが、少なくとも１つ、２つ以上のアンカー残基、好ましくは１つまたは２つのアンカー残基の置換によって得られる
請求項１に記載の方法。
【請求項３】
前記テンプレートペプチドが、
ａ．配列番号１（ＩＡＫＥＰＶＨＧＶ）、配列番号２（ＩＡＫＥＰＶＨＧＡ）または配列番号３（ＦＡＰＧＮＡＰＡＬ）に示されるポリペプチド配列；または
ｂ．１、２、３、または４個のアミノ酸が置換されているか、欠失しているか、または挿入されている配列番号１または配列番号２または配列番号３に示されるポリペプチド配列
を含むポリペプチドである請求項１または２に記載の方法。
【請求項４】
前記ＭＨＣ分子のペプチド結合溝に結合する異なる望ましいペプチドについて並行して実施される請求項１〜３のいずれかに記載の方法。
【請求項５】
ステップａ）において得られるＭＨＣ分子が、低下した温度でテンプレートペプチドを用いて製造され、満たされる請求項１〜４のいずれか１項に記載の方法。
【請求項６】
前記ＭＨＣ分子のペプチド結合溝にテンプレートペプチドが結合しているＭＨＣ分子が、前記テンプレートペプチドの存在下、１０℃以下の温度でのＭＨＣ分子のリフォールディングによって提供される請求項１〜５のいずれかに記載の方法。
【請求項７】
無細胞で行われる請求項１〜６のいずれか１項に記載の方法。
【請求項８】
前記望ましいペプチドの前記ＭＨＣ分子への結合を検出するステップをさらに含み、好ましくは、前記結合は、前記望ましいペプチドと結合している標識を検出することによって検出され、好ましくは、前記望ましいペプチドは前記標識を含む請求項１〜７のいずれか１項に記載の方法。
【請求項９】
試験または参照化合物の存在下で前記望ましいペプチドの結合を決定するための、請求項１〜８のいずれか１項に記載の方法。
【請求項１０】
ＭＨＣクラスＩ分子のペプチド結合溝においてテンプレートペプチドが結合しているＭＨＣクラスＩ分子であって、前記テンプレートペプチドが、
ａ．配列番号１（ＩＡＫＥＰＶＨＧＶ）に示されるポリペプチド配列を含むポリペプチドであることを特徴とするＭＨＣクラスＩ分子。
【請求項１１】
請求項１０に記載のＭＨＣクラスＩ分子を含み、
好ましくは、更なるペプチドをさらに含み、好ましくは前記更なるペプチドが前記ＭＨＣクラスＩ分子のペプチド結合溝に結合可能な抗原ペプチドであるか、かつ／または
好ましくは、ＮａＣｌ，好ましくは１００〜６００ｍＭ  ＮａＣｌ，より好ましくは２５０〜３５０ｍＭ  ＮａＣｌおよび／またはグリセロール、好ましくは１〜５０％（ｖｏｌ／ｖｏｌ）グリセロール、好ましくは５〜１５％（ｖｏｌ／ｖｏｌ）グリセロールをさらに含む組成物。
【請求項１２】
ａ．配列番号１（ＩＡＫＥＰＶＨＧＶ）に示されるポリペプチド配列を含むポリペプチドであるテンプレートペプチド。
【請求項１３】
ＭＨＣ分子を製造するための、および／またはＭＨＣ分子のペプチド交換における請求項１２に記載のテンプレートペプチドの使用であって、前記ＭＨＣ分子は好ましくはヒトＨＬＡ−Ａ分子であり、好ましくはヒトＨＬＡ−Ａ分子はＨＬＡ−Ａ＊０２およびＨＬＡ−Ａ＊０２：０１から選択されるテンプレートペプチドの使用。
【請求項１４】
ＭＨＣ分子を製造するための、および／またはＭＨＣ分子のペプチド交換における、上昇した温度でＭＨＣクラスＩ分子から解離するテンプレートペプチドが前記ＭＨＣクラスＩ分子のペプチド結合溝に結合しているＭＨＣクラスＩ分子の使用であって、前記ＭＨＣクラスＩ分子は好ましくはヒトＨＬＡ−Ａ分子であり、好ましくは前記ヒトＨＬＡ−Ａ分子はＨＬＡ−Ａ＊０２およびＨＬＡ−Ａ＊０２：０１から選択されるＭＨＣクラスＩ分子の使用。
【請求項１５】
１０℃未満、０℃未満、−２０℃未満の順で好ましい温度で保存される組成物であって、１５℃以上の温度でＭＨＣクラスＩ分子から解離するテンプレートペプチドが前記ＭＨＣクラスＩ分子のペプチド結合溝に結合しているＭＨＣクラスＩ分子を含み、好ましくは、ＮａＣｌ、好ましくは１００〜６００ｍＭ  ＮａＣｌ，より好ましくは２５０〜３５０ｍＭ  ＮａＣｌおよび／またはグリセロール、好ましくは１〜５０％（ｖｏｌ／ｖｏｌ）グリセロール、好ましくは５〜１５％（ｖｏｌ／ｖｏｌ）グリセロールをさらに含み；好ましくは前記ＭＨＣ分子が多量体であり、前記ＭＨＣ分子は好ましくはヒトＨＬＡ−Ａ分子であり、好ましくは前記ヒトＨＬＡ−Ａ分子はＨＬＡ−Ａ＊０２およびＨＬＡ−Ａ＊０２：０１から選択される組成物。
【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
少なくとも１つの脂肪酸膜標的シグナルを有するミトフラボスチン。
【請求項２】
少なくとも１つの脂肪酸膜標的シグナルを有するジフェニレンヨードニウム、少なくとも１つの脂肪酸膜標的シグナルを有するジフェニレンヨードニウムの薬学上許容される塩、少なくとも１つの脂肪酸膜標的シグナルジフェニルヨードニウム、および少なくとも１つの脂肪酸膜標的シグナルを有するジフェニルヨードニウムの薬学上許容される塩のうち少なくとも１つを含む、請求項１に記載のミトフラボスチン。
【請求項３】
前記少なくとも１つの脂肪酸膜標的シグナルがパルミチン酸、ステアリン酸、ミリスチン酸、およびオレイン酸から選択される、請求項１または２に記載のミトフラボスチン。
【請求項４】
フラビンアデニンジヌクレオチドおよびフラビンモノヌクレオチドのうち少なくとも１つに結合する、請求項１に記載のミトフラボスチン。
【請求項５】
フラビンアデニンジヌクレオチドおよびフラビンモノヌクレオチドのうち少なくとも１つに結合し、前記少なくとも１つの脂肪酸膜標的シグナルがパルミチン酸、ステアリン酸、ミリスチン酸、およびオレイン酸から選択される、請求項２に記載のミトフラボスチン。
【請求項６】
ミトコンドリア標的化合物をさらに含む、請求項１に記載のミトフラボスチン。
【請求項７】
前記ミトコンドリア標的化合物が第２の膜標的シグナルおよびミトコンドリアリボソーム標的シグナルを含む群から選択される少なくとも１つの化合物である、請求項６に記載のミトフラボスチン。
【請求項８】
前記第２の膜標的シグナルがパルミチン酸、ステアリン酸、ミリスチン酸、およびオレイン酸から選択される、請求項７に記載のミトフラボスチン。
【請求項９】
前記ミトコンドリア標的シグナルがトリフェニルホスホニウムおよびグアニジニウムを含む群から選択される化合物である、請求項７に記載のミトフラボスチン。
【請求項１０】
前記ミトフラボスチンが少なくとも１つの脂肪酸膜標的シグナルを有する、少なくとも１種類のミトフラボスチンを含む医薬組成物。
【請求項１１】
前記少なくとも１種類のミトフラボスチンが、少なくとも１つの脂肪酸膜標的シグナルを有するジフェニレンヨードニウム、少なくとも１つの脂肪酸膜標的シグナルを有するジフェニレンヨードニウムの薬学上許容される塩、少なくとも１つの脂肪酸膜標的シグナルを有するジフェニルヨードニウム、および少なくとも１つの脂肪酸膜標的シグナルを有するジフェニルヨードニウムの薬学上許容される塩のうち少なくとも１つを含む、請求項１０に記載の医薬組成物。
【請求項１２】
前記少なくとも１つの脂肪酸膜標的シグナルがパルミチン酸、ステアリン酸、ミリスチン酸、およびオレイン酸から選択される、請求項１０または１１に記載の医薬組成物。
【請求項１３】
癌の治療、細菌感染症の治療、病原性酵母感染症の治療、加齢に伴う病態の治療、および加齢の影響の軽減のうち少なくとも１つの表示がされる、請求項１０−１２のいずれか一項に記載の医薬組成物。
【請求項１４】
ミトフラボスチンを同定する方法であって、
フラビン含有酵素に結合することが知られる候補化合物に対して、表現型薬物スクリーニングおよびミトコンドリア阻害スクリーニングのうち少なくとも１つを実施すること、および
ミトコンドリア阻害剤としての候補化合物の機能をバリデートすること
を含む、方法。
【請求項１５】
前記表現型薬物スクリーニングがＡＴＰ枯渇アッセイを含む、請求項１４に記載の方法。
【請求項１６】
前記表現型薬物スクリーニングが細胞外酸性化速度アッセイおよび酸素消費速度アッセイのうち少なくとも１つを含む、請求項１４に記載の方法。
【請求項１７】
前記の同定されたミトフラボスチンを抗癌活性および抗微生物活性のうち少なくとも１つに関して試験することをさらに含む、請求項１４に記載の方法。
【請求項１８】
前記の試験される抗癌活性がマンモスフィアの形成である、請求項１７に記載の方法。
【請求項１９】
ミトフラビン。
【請求項２０】
膜標的シグナルおよびミトコンドリア標的シグナルのうち少なくとも１つをさらに含む、請求項１９に記載のミトフラビン。
【請求項２１】
癌幹細胞においてリボフラビン欠乏を誘導するための方法であって、少なくとも１種類のミトフラビンを送達投与することを含む、方法。
【請求項２２】
前記ミトフラビンが膜標的シグナルおよびミトコンドリア標的シグナルのうち少なくとも１つを含む、請求項２１に記載の方法。
【請求項２３】
ＦＡが脂肪酸である一般式
【化１】
2021500374.tif 000001
を含む、請求項１９に記載のミトフラビン。
【請求項２４】
ＴＰＰがトリフェニルホスホニウム部分である一般式
【化２】
2021500374.tif 000002
を含む、請求項１９に記載のミトフラビン。
【請求項２５】
ミトコンドリア阻害剤としての候補化合物の機能をバリデートすることが、候補化合物に対して、代謝フラックス解析、マンモスフィア形成アッセイ、生存率アッセイ、抗菌アッセイ、および抗真菌活性アッセイのうち少なくとも１つを実施することを含む、請求項１４に記載の方法。
【手続補正書】
【提出日】令和3年10月21日(2021.10.21)
【手続補正１】
【補正対象書類名】特許請求の範囲
【補正対象項目名】全文
【補正方法】変更
【補正の内容】
【特許請求の範囲】
【請求項１】
（ａ）治療有効量のデフェリプロン及び腸溶性ポリマーを含むコア、ならびに
（ｂ）腸溶性ポリマーを含む腸溶性コーティング
を含む経口投与用の錠剤であって、１日２回の投薬のために適切である錠剤。
【請求項２】
前記コア中の腸溶性ポリマーが、ヒドロキシプロピルメチルセルロースアセテートスクシネート（ＨＰＭＣＡＳ）、ヒドロキシプロピルメチルセルロース（ＨＰＭＣ）フタレート、ポリビニルアセテートフタレート、メタクリル酸コポリマー、それらの誘導体、及びそれらの組み合わせからなる群より選択される、請求項１記載の錠剤。
【請求項３】
前記腸溶性ポリマーがコアの１重量%から２０重量%の量で存在する、請求項２記載の錠剤。
【請求項４】
前記腸溶性コーティングに中の腸溶性ポリマーが、ヒドロキシプロピルメチルセルロースアセテートスクシネート（ＨＰＭＣＡＳ）、ＨＰＭＣフタレート、ポリビニルアセテートフタレート、メタクリル酸コポリマー、それらの誘導体、及びそれらの組み合わせからなる群より選択される、請求項１〜３のいずれか一項に記載の錠剤。
【請求項５】
前記コアが塩基性賦形剤及び流動促進剤をさらに含む、請求項１〜４のいずれか一項に記載の錠剤。
【請求項６】
前記塩基性賦形剤が、メグルミン、金属酸化物、金属水酸化物、弱酸の塩基性塩、及びそれらの組み合わせからなる群より選択される、請求項５記載の錠剤。
【請求項７】
前記流動促進剤がコロイド状二酸化ケイ素である、請求項５又は６記載の錠剤。
【請求項８】
潤滑剤をさらに含む、請求項５〜７のいずれか一項記載の錠剤。
【請求項９】
前記潤滑剤が、ステアリン酸マグネシウム、ステアリン酸カルシウム、ステアリン酸、フマル酸ステアリルナトリウム、タルク、及びそれらの組み合わせからなる群より選択される、請求項８記載の錠剤。
【請求項１０】
前記腸溶性コーティングが可塑剤及び粘着防止剤をさらに含む、請求項３〜９のいずれか一項記載の錠剤。
【請求項１１】
前記可塑剤が、クエン酸エステル、ジエチルフタレート、ポリエチレングリコール、グリセロール、アセチル化グリセリド、アセチル化クエン酸エステル、セバシン酸ジブチル、ヒマシ油、及びそれらの組み合わせからなる群より選択される、請求項１０記載の錠剤。
【請求項１２】
前記粘着防止剤がタルクである、請求項１０又は１１に記載の錠剤。
【請求項１３】
６００ｍｇ又は１０００mgのデフェリプロンを含む、請求項１〜１２のいずれか一項記載の錠剤。
【請求項１４】
前記コアが６００mg又は１０００mgのデフェリプロン、腸溶性ポリマー、ｐＨ調整剤、流動促進剤及び潤滑剤を含み；そして
前記コーティングが、可塑剤、粘着防止剤、腸溶性ポリマー、及び希釈剤を含む、
請求項１に記載の錠剤。
【請求項１５】
前記コアが６００mg又は１０００mgのデフェリプロン、ＨＰＭＣＡＳ−ＬＦ、酸化マグネシウム、コロイド状二酸化ケイ素、及びステアリン酸マグネシウムを含み；そして
前記コーティングが、クエン酸トリエチル、タルク、メタクリル酸コポリマー分散物、及びスクロースを含む、
請求項１４に記載の錠剤。
【請求項１６】
デフェリプロンは、コア総重量の７５〜９５%存在する、請求項１〜１５のいずれか一項に記載の錠剤。
【請求項１７】
被験者における鉄過剰症を処置する方法に使用するための、請求項１〜１６のいずれか一項記載の錠剤であって、前記錠剤が、経口投与される、錠剤。
【請求項１８】
鉄過剰症を伴う被験者が、サラセミア及び鎌状赤血球症から選択される疾患を患っている、請求項１７に記載の使用のための錠剤。
【請求項１９】
前記鉄過剰症が輸血後鉄過剰症である、請求項１７に記載の使用のための錠剤。
【請求項２０】
前記被験者のキレート治療が不十分である、請求項１９記載の使用のための錠剤。
【請求項２１】
前記被験者が輸血後鉄過剰症を患っており、２０ミリ秒又はそれ以下の心臓ＭＲＩ  Ｔ２＊を有する、請求項１７に記載の使用のための錠剤。
【請求項２２】
１日２回投与される、請求項１７〜２１のいずれか一項に記載の使用のための錠剤。
【請求項２３】
請求項１〜１６のいずれか一項に記載の錠剤を作製する方法であって、
（ａ）デフェリプロン及び１つ又は複数の賦形剤を混合すること；
（ｂ）（ａ）の混合物を錠剤コアに圧縮すること；及び
（ｃ）腸溶性コーティング懸濁液又は溶液を用いて前記錠剤コアをコーティングすることを含む、
方法。
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
１）第１シリカゾルに塩基触媒を添加し、ブランケット基材に含浸及びゲル化させるステップ；
２）第２シリカゾルに塩基触媒を添加し、前記第１シリカゾルが含浸されたブランケット基材上に噴射及びゲル化させるステップ；及び
３）第３シリカゾルに塩基触媒を添加し、前記第２シリカゾルが噴射されたブランケット基材上に噴射及びゲル化させるステップを含み、
前記第２シリカゾルは不透明化剤をさらに含むものである、シリカエアロゲルブランケットの製造方法。
【請求項２】
前記第１シリカゾル及び前記第３シリカゾルは、不透明化剤をさらに含まない、請求項１に記載のシリカエアロゲルブランケットの製造方法。
【請求項３】
前記第１シリカゾル、前記第２シリカゾル及び前記第３シリカゾルの体積比は、１０から４０ｖｏｌ％：２０から８０ｖｏｌ％：１０から４０ｖｏｌ％である、請求項１または２に記載のシリカエアロゲルブランケットの製造方法。
【請求項４】
前記不透明化剤は、全シリカゾルに含まれたシリカ重量に対して１から３０ｗｔ％である、請求項１〜３のいずれか一項に記載のシリカエアロゲルブランケットの製造方法。
【請求項５】
前記第２シリカゾルは、前記第１シリカゾルがゲル化を完了した以後に噴射され、
前記第３シリカゾルは、前記第２シリカゾルがゲル化を完了する前に噴射される、請求項１〜４のいずれか一項に記載のシリカエアロゲルブランケットの製造方法。
【請求項６】
前記不透明化剤は、ＴｉＯ2、アルミナ、ジルコニア（ＺｒＯ2）、酸化亜鉛（ＺｎＯ）、酸化錫（ＳｎＯ2）、酸化鉄及びカーボンブラックからなる群から選択される１つ以上を含む、請求項１〜５のいずれか一項に記載のシリカエアロゲルブランケットの製造方法。
【請求項７】
第１エアロゲル層、第２エアロゲル層及び第３エアロゲル層を含み、
前記第２エアロゲル層は、前記第１エアロゲル層及び前記第３エアロゲル層の間に介在され、
前記第２エアロゲル層は、不透明化剤をさらに含む、シリカエアロゲルブランケット。
【請求項８】
前記第１エアロゲル層及び前記第３エアロゲル層は、不透明化剤をさらに含まない、請求項７に記載のシリカエアロゲルブランケット。
【請求項９】
前記第１エアロゲル層、前記第２エアロゲル層及び前記第３エアロゲル層に含まれたシリカの重量比は、１０から４０ｗｔ％：２０から８０ｗｔ％：１０から４０ｗｔ％である、請求項７または８に記載のシリカエアロゲルブランケット。
【請求項１０】
前記不透明化剤は、全エアロゲル層に含まれたシリカ重量に対して１から３０ｗｔ％である、請求項７〜９のいずれか一項に記載のシリカエアロゲルブランケット。
【請求項１１】
前記第１エアロゲル層、前記第２エアロゲル層及び前記第３エアロゲル層の厚さは、１から４ｍｍ：２から８ｍｍ：１から４ｍｍである、請求項７〜１０のいずれか一項に記載のシリカエアロゲルブランケット。
【請求項１２】
前記シリカエアロゲルブランケットは、１８Ｈｚ／６ｈｒｓの振動条件で重量減少率が０．５％以下である、請求項７〜１１のいずれか一項に記載のシリカエアロゲルブランケット。
【請求項１３】
請求項７から請求項１２のいずれか一項に記載のシリカエアロゲルブランケットを含み、
前記シリカエアロゲルブランケットの表面に水に対して不透過性であり、水蒸気に対して透過性である層をさらに含む、絶縁材。
【手続補正２】
【補正対象書類名】明細書
【補正対象項目名】００２５
【補正方法】変更
【補正の内容】
【００２５】
具体的に、本発明のシリカエアロゲルブランケットの製造方法は、１）第１シリカゾルに塩基触媒を添加し、ブランケット基材に含浸及びゲル化させるステップ；２）第２シリカゾルに塩基触媒を添加し、前記第１シリカゾルが含浸されたブランケット基材上に噴射及びゲル化させるステップ；及び３）第３シリカゾルに塩基触媒を添加し、前記第２シリカゾルが噴射されたブランケット基材上に噴射及びゲル化させるステップを含み、前記第２シリカゾルは、不透明化剤をさらに含むことを特徴とする。前記第１シリカゾル及び第３シリカゾルは、不透明化剤をさらに含まないと好ましい。
【手続補正３】
【補正対象書類名】明細書
【補正対象項目名】００３７
【補正方法】変更
【補正の内容】
【００３７】
具体的に、本発明のシリカエアロゲルブランケットは、第１エアロゲル層、第２エアロゲル層及び第３エアロゲル層を含み、前記第２エアロゲル層は、第１エアロゲル層及び第３エアロゲル層の間に介在され、前記第２エアロゲル層は不透明化剤をさらに含む。前記第１エアロゲル層及び第３エアロゲル層は不透明化剤をさらに含まないものであり得ると好ましい。
【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
医薬上許容される担体及びＦｉｍ３を安定的に産生するように組み換えられた生弱毒化ボルデテラ（Ｂｏｒｄｅｔｅｌｌａ）菌株を含むワクチンにおいて、前記生弱毒化ボルデテラ（Ｂｏｒｄｅｔｅｌｌａ）菌株は、哺乳動物対象の肺にコロニー形成し、ボルデテラ（Ｂｏｒｄｅｔｅｌｌａ）感染に対する防御免疫応答を誘導する能力を保持していることを特徴とするワクチン。
【請求項２】
請求項１に記載のワクチンにおいて、前記生弱毒化ボルデテラ（Ｂｏｒｄｅｔｅｌｌａ）菌株は、Ｆｉｍ２を安定的に産生することを特徴とするワクチン。
【請求項３】
請求項１に記載のワクチンにおいて、前記生弱毒化ボルデテラ（Ｂｏｒｄｅｔｅｌｌａ）菌株は、機能的百日咳毒素（ＰＴＸ）、機能的皮膚壊死毒素（ＤＮＴ）及び機能的気管細胞毒素（ＴＣＴ）から成る群から選択される少なくとも１種のビルレンス因子が欠失させられていることを特徴とするワクチン。
【請求項４】
請求項１に記載のワクチンにおいて、前記生弱毒化ボルデテラ（Ｂｏｒｄｅｔｅｌｌａ）菌株は、機能的ＰＴＸ、機能的ＤＮＴ及び機能的ＴＣＴから成る群から選択される少なくとも２種のビルレンス因子が欠失させられていることを特徴とするワクチン。
【請求項５】
請求項１に記載のワクチンにおいて、前記生弱毒化ボルデテラ（Ｂｏｒｄｅｔｅｌｌａ）菌株は、ＰＴＸ、機能的ＤＮＴ及び機能的ＴＣＴが欠失させられていることを特徴とするワクチン。
【請求項６】
請求項２に記載のワクチンにおいて、前記生弱毒化ボルデテラ（Ｂｏｒｄｅｔｅｌｌａ）菌株は、機能的ＰＴＸ、機能的ＤＮＴ及び機能的ＴＣＴから成る群から選択される少なくとも１種のビルレンス因子が欠失させられていることを特徴とするワクチン。
【請求項７】
請求項２に記載のワクチンにおいて、前記弱毒化生ボルデテラ（Ｂｏｒｄｅｔｅｌｌａ）菌株は、機能的ＰＴＸ、機能的ＤＮＴ及び機能的ＴＣＴから成る群から選択される少なくとも２種のビルレンス因子が欠失させられていることを特徴とするワクチン。
【請求項８】
請求項２に記載のワクチンにおいて、前記生弱毒化ボルデテラ（Ｂｏｒｄｅｔｅｌｌａ）菌株は、機能的ＰＴＸ、機能的ＤＮＴ及び機能的ＴＣＴが欠失させられていることを特徴とするワクチン。
【請求項９】
請求項１に記載のワクチンにおいて、前記ワクチンは、少なくとも１×１０６コロニー形成単位（ＣＦＵ）の前記菌株を含む単回剤形で投与されることを特徴とするワクチン。
【請求項１０】
登録番号ＣＮＣＭ  Ｉ−５２４７を付してｔｈｅ  Ｃｏｌｌｅｃｔｉｏｎ  Ｎａｔｉｏｎａｌｅ  ｄｅ  Ｃｕｌｔｕｒｅｓ  ｄｅ  Ｍｉｃｒｏｏｒｇａｎｉｓｍｅｓ（ＣＮＣＭ）に寄託されたＢＰＺＥ１ｆ３と指名されたボルデテラ（Ｂｏｒｄｅｔｅｌｌａ）菌株。
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
皮膚へのレーザー照射を含む医療皮膚処置後に、皮膚の若返りを促進するか、皮膚の健康回復を増進するか、または皮膚の回復率を増加させるための薬剤を製造するための、ヒトＦｉｄｇｅｔｉｎ様２をコードするＤＮＡまたはＲＮＡに対するｓｉＲＮＡまたはｓｈＲＮＡの使用。
【請求項２】
皮膚へのレーザー照射を含む医療皮膚処置後に、皮膚の若返りを促進するか、皮膚の健康回復を増進するか、または皮膚の回復率を増加させるための組成物であって、
ヒトＦｉｄｇｅｔｉｎ様２をコードするＤＮＡまたはＲＮＡに対するｓｉＲＮＡまたはｓｈＲＮＡを含む組成物。
【請求項３】
請求項１に記載のｓｉＲＮＡまたはｓｈＲＮＡの使用、または請求項２に記載の組成物であって、
前記薬剤または前記組成物は、前記皮膚中のコラーゲンＩの密度または組織を増加させることで皮膚の若返りまたは皮膚の健康回復を促進する、ｓｉＲＮＡまたはｓｈＲＮＡの使用、または組成物。
【請求項４】
請求項１に記載のｓｉＲＮＡまたはｓｈＲＮＡの使用、または請求項２に記載の組成物であって、
前記薬剤または前記組成物は、前記皮膚中のコラーゲンＩの組織を増加させることで、または皮膚の真皮表皮接合部と平行なコラーゲン繊維の線形配向度を改善することで、皮膚の若返りを促進する、ｓｉＲＮＡまたはｓｈＲＮＡの使用、または組成物。
【請求項５】
請求項１に記載のｓｉＲＮＡまたはｓｈＲＮＡの使用、または請求項２に記載の組成物であって、
前記回復率の増加が、炎症度合いの低減および／または炎症低減率の増加である、ｓｉＲＮＡまたはｓｈＲＮＡの使用、または組成物。
【請求項６】
請求項１または請求項３〜５のいずれかに記載のｓｉＲＮＡまたはｓｈＲＮＡの使用、または請求項２〜５のいずれかに記載の組成物であって、
前記レーザー照射に用いるレーザーが、ノン・アブレーティブレーザーまたはブレーティブレーザーである、ｓｉＲＮＡまたはｓｈＲＮＡの使用、または組成物。
【請求項７】
請求項１または請求項３〜６のいずれかに記載のｓｉＲＮＡまたはｓｈＲＮＡの使用、または請求項２〜６のいずれかに記載の組成物であって、
前記ヒトＦｉｄｇｅｔｉｎ様２が、配列番号２に記載のアミノ酸からなる、ｓｉＲＮＡまたはｓｈＲＮＡの使用、または組成物。
【請求項８】
請求項１または請求項３〜７のいずれかに記載のｓｉＲＮＡまたはｓｈＲＮＡの使用、または請求項２〜７のいずれかに記載の組成物であって、
前記ヒトＦｉｄｇｅｔｉｎ様２をコードするＤＮＡまたはＲＮＡに対する前記ｓｉＲＮＡが、少なくとも１つの２´−糖修飾を有する、ｓｉＲＮＡまたはｓｈＲＮＡの使用、または組成物。
【請求項９】
請求項１または請求項３〜８のいずれかに記載のｓｉＲＮＡまたはｓｈＲＮＡの使用、または請求項２〜８のいずれかに記載の組成物であって、
前記ｓｉＲＮＡが、配列番号３、４、５、６、７、８、９または１０に記載の配列からなる、ｓｉＲＮＡまたはｓｈＲＮＡの使用、または組成物。
【請求項１０】
請求項１または請求項３〜９のいずれかに記載のｓｉＲＮＡまたはｓｈＲＮＡの使用であって、
前記医療皮膚処置は美容処置であり、
前記美容処置は、レーザースキンリサーフェシングまたはレーザーアブレーションである、ｓｉＲＮＡまたはｓｈＲＮＡの使用。
【請求項１１】
請求項１または請求項３〜１０のいずれかに記載のｓｉＲＮＡまたはｓｈＲＮＡの使用であって、
前記医療皮膚処置は美容処置であり、
前記美容処置の目的が、皺、美容整形後の無反応皮膚、老化または日焼けによって損傷した皮膚、肝斑、母斑、いぼ、肥大した油腺、ポートワイン母斑、血管腫、および毛細血管拡張を目立たなくすること、あるいは肌の顔色を変化させることである、ｓｉＲＮＡまたはｓｈＲＮＡの使用。
【請求項１２】
請求項１１に記載のｓｉＲＮＡまたはｓｈＲＮＡの使用であって、
前記母斑が、線状表皮母斑である、ｓｉＲＮＡまたはｓｈＲＮＡの使用。
【請求項１３】
請求項１または請求項３〜１２のいずれかに記載のｓｉＲＮＡまたはｓｈＲＮＡの使用、または請求項２〜９のいずれかに記載の組成物であって、
前記レーザーが、ＣＯ２レーザー、エルビウムレーザー、長パルスまたはＱスイッチを有する１０６４ｎｍのＮｄ：ＹＡＧレーザー、１３２０ｎｍのＮｄ：ＹＡＧレーザー、または５９５ｎｍのＰＤＬレーザーである、ｓｉＲＮＡまたはｓｈＲＮＡの使用、または組成物。
【請求項１４】
（ｉ）皮膚へのレーザー照射を含む皮膚処置による、ヒトの皮膚上に目に見えて現れている皺を減少させるか、または皮膚の回復速度を増加させるのに有効な量の、ヒトＦｉｄｇｅｔｉｎ様２をコードするＤＮＡに対するｓｉＲＮＡまたはｓｈＲＮＡを含有し、かつ、
（ｉｉ）マイクロニードルアレイに収容される、組成物であって、
任意選択で、前記ｓｉＲＮＡが、配列番号３、４、５、６、７、８、９または１０に記載の配列からなる、組成物。
【請求項１５】
請求項１４に記載の組成物であって、
前記マイクロニードルアレイが、デキストラン、ヒアルロン酸、およびＰＶＰのうちの１つまたは複数からなる構造を含む、組成物。
【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
第１の主支持表面を有する除去可能な支持シートを供給することと、
インクを含む画像層を前記第１の主支持表面上に印刷することと、
前記画像層の上にバッキング層を押し出し、第１の主バッキング表面を前記画像層の上に形成し、前記第１の主バッキング表面の反対側にある第２の主バッキング表面を形成することと、
機能層を前記第２の主バッキング表面上に適用することと、
前記除去可能な支持シートを前記バッキング層から分離するとともに、前記第１の主バッキング表面に前記画像層を取り付けたままにすることと、を含む、方法。
【請求項２】
前記機能層を適用することが、メイクコートを適用することと、研磨粒子を適用することと、前記メイクコート及び前記研磨粒子上にサイズコートを適用することとを含む、請求項１に記載の方法。
【請求項３】
前記画像層を適用する前に、第１のコート層を前記第１の主支持表面上に適用することを更に含む、請求項１に記載の方法。
【請求項４】
前記第１のコート層が、ポリウレタンを含む、請求項３に記載の方法。
【請求項５】
前記第１のコート層が、オクチルデシルアクリレートを含む、請求項３に記載の方法。
【請求項６】
前記バッキング層を前記画像層上に押し出す前に、トップコート層を前記画像層上に適用することを更に含む、請求項１又は３に記載の方法。
【請求項７】
前記トップコート層が、ポリウレタンを含む、請求項６に記載の方法。
【請求項８】
前記バッキング層が、ポリウレタンを含む、請求項１に記載の方法。
【請求項９】
前記除去可能な支持シートが、ポリエチレンテレフタレートを含む、請求項１に記載の方法。
【請求項１０】
第１の主表面を有する除去可能な支持シートと、
前記第１の主表面上に適用されたインクを含む画像層と、
前記画像層に隣接して位置する第１の主バッキング表面、及び前記第１の主表面の反対側にある第２の主バッキング表面を有する、ポリウレタンバッキング層と、
前記第２の主バッキング表面に適用された研磨層を含む機能層であって、前記研磨層が、メイクコート、研磨粒子、及びサイズコートを含む、機能層と、を含む、物品。
【手続補正書】
【提出日】令和3年9月29日(2021.9.29)
【手続補正１】
【補正対象書類名】特許請求の範囲
【補正対象項目名】全文
【補正方法】変更
【補正の内容】
【特許請求の範囲】
【請求項１】
タイヤ（４）のためのサブアセンブリ（３）を製造する方法（Ｓ）であって、
第１の構造体（１０）、第２の構造体（１２）、及び支持構造体（１４）を含むアセンブリを提供する段階であって、
前記第１の構造体（１０）が、フィラメント状要素によって形成され、かつ第１の軸線（１１）を定める第１の方向に延びる長手縁部（１０ａ、１０ｂ）を有し、
前記第２の構造体（１２）が、フィラメント状要素によって形成され、かつ第２の軸線（１３）を定める第２の方向に延びる長手縁部（１２ａ、１２ｂ）を有し、
前記支持構造体（１４）が、前記第１の構造体（１０）及び前記第２の構造体（１２）をつなぐ支持フィラメント状要素を含む、段階と、
前記第１の軸線（１１）及び前記第２の軸線（１３）が実質的に平行であるように前記第１の構造体（１０）を前記第２の構造体（１２）上に位置決めする段階（Ｓ１）と、
前記第１の構造体（１０）を前記第２の構造体（１２）に対して定位置に保持し、かつアセンブリ（１）を取得するために該第２の構造体（１２）に対する該第１の構造体（１０）のいずれの移動も防止するように、固定要素（１８）を使用して該第１の構造体（１０）を該第２の構造体（１２）の上にしっかりと固定する段階（Ｓ４）と、
前記固定要素（１８）を前記アセンブリ（１）の残りから分離し、かつ固定要素（１８）のない少なくとも１つのサブアセンブリ（３）を取得するように、該固定要素（１８）に沿って該アセンブリ（１）を切断する段階（Ｓ５）と、
を含むことを特徴とする方法（Ｓ）。
【請求項２】
前記固定する段階（Ｓ４）の前に、前記第１の軸線（１１）及び前記第２の軸線（１３）が重ね合わされる段階（Ｓ２）を更に含む、請求項１に記載のサブアセンブリ（３）を製造する方法（Ｓ）。
【請求項３】
前記第１の構造体（１０）及び前記第２の構造体（１２）の各々が、それらのそれぞれの長手縁部（１０ａ、１０ｂ、１２ａ、１２ｂ）に対して横断方向に延びる横断縁部（１０ｃ、１２ｃ、１０ｄ、１２ｄ）を含み、
方法が、前記固定する段階（Ｓ４）の前に、前記第１の構造体（１０）の前記横断縁部（１０ｃ、１０ｄ）及び前記第２の構造体（１２）の該横断縁部（１２ｃ、１２ｄ）が重ね合わされる段階（Ｓ３）を更に含む、請求項１又は２に記載のサブアセンブリ（３）を製造する方法（Ｓ）。
【請求項４】
前記第１の構造体（１０）は、２つの対向する横断縁部（１０ｃ、１０ｄ）を有し、該横断縁部は、該第１の構造体の前記長手縁部（１０ａ、１０ｂ）に対して横断方向に延び、該第１の構造体（１０）の長さ（Ｌ）が、該第１の構造体（１０）が扁平に置かれた時にその横断縁部（１０ｃ、１０ｄ）間の短い方の距離に等しく、該第１の構造体（１０）は、その長さ（Ｌ）の全て又は一部にわたって前記第２の構造体（１２）の上に固定される（Ｓ４）、請求項１から３のうちの１項に記載のサブアセンブリ（３）を製造する方法（Ｓ）。
【請求項５】
前記第１の構造体（１０）は、その長さ（Ｌ）の全て又は一部にわたって前記第１の軸線（１１）と平行な方向に前記第２の構造体（１２）の上に固定される（Ｓ４）、請求項４に記載のサブアセンブリ（３）を製造する方法（Ｓ）。
【請求項６】
前記第１の構造体（１０）は、その長さ（Ｌ）の少なくとも５０％にわたって前記第２の構造体（１２）の上に固定される（Ｓ４）、請求項５に記載のサブアセンブリ（３）を製造する方法（Ｓ）。
【請求項７】
前記第１の構造体（１０）は、前記固定要素（１８）が、互いの延長に延びる少なくとも２つの隣接セグメントを含むように、前記第２の構造体（１２）の上に非連続的に固定される（Ｓ４）、請求項６に記載のサブアセンブリ（３）を製造する方法（Ｓ）。
【請求項８】
前記第１の構造体（１０）は、接着、溶接、縫い合わせのうちの少なくとも１つを使用して前記第２の構造体（１２）の上に固定される（Ｓ４）、請求項１から７のうちの１項に記載のサブアセンブリ（３）を製造する方法（Ｓ）。
【請求項９】
前記第１の構造体（１０）は、少なくとも２つの異なる固定要素（１８）を使用して前記第２の構造体（１２）にしっかりと固定される（Ｓ４）、請求項１から８のうちの１項に記載のサブアセンブリ（３）を製造する方法（Ｓ）。
【請求項１０】
前記切断する段階（Ｓ５）は、
前記固定要素（１８）を第１の切断線に沿って切断し、固定要素（１８）なしに前記サブアセンブリ（３）を取得するサブステップと、
前記固定要素（１８）を第２の切断線に沿って切断し、それを前記アセンブリ（１）の残りから分離して第２のサブアセンブリ（３）を形成するサブステップと、
を含む、
請求項１から９のうちの１項に記載のサブアセンブリ（３）を製造する方法（Ｓ）。
【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
水を消毒するためのカートリッジであって、流体入口を含む第１の端部、前記第１の端部の反対側の流体出口を含む第２の端部、および前記第１の端部と前記第２の端部の間に延在し、前記流体入口および前記流体出口と流体連通する内部チャンバを有する細長い管状本体であって、前記細長い管状本体の前記第１の端部は、前記細長い管状本体と流体連通する第１の開口部を有するエンドキャップを含む、細長い管状本体と；水を消毒するために前記本体の前記内部チャンバに配置された消毒材料と；前記第１の開口部に隣接しておよび前記消毒材料に隣接して前記細長い管状本体に配置された第１のフィルタと；前記細長い管状本体の前記第２の端部に隣接して、および前記内部チャンバおよび前記流体出口と流体連通した状態で前記細長い管状本体に配置された第２のフィルタとを含み、前記細長い管状本体の前記第２の端部は外面を含み、前記外面はテーパ部分と、前記テーパ部分に隣接する直線部分とを有し、前記テーパ部分は大径端部と前記大径端部の反対側に小径端部を有し、前記大径端部は前記細長い管状本体の前記第２端部に隣接し、前記小径端部は前記直線部分に隣接する、カートリッジ。
【請求項２】
（ｉ）前記第２の端部の前記外面が第２の開口部を含む、（ｉｉ）前記第２の端部の前記外面が、歯科用給水管と係合するように構成されたルアー継手を含む、または（ｉｉｉ）前記第１のフィルタおよび前記第２のフィルタが前記消毒材料に隣接して前記内部チャンバ内に配置される、請求項１に記載のカートリッジ。
【請求項３】
前記外面が、歯科用給水管と係合するように構成された環状壁とニップルを含み、前記環状壁が前記テーパ部分と、前記テーパ部分に隣接する前記直線部分とを有し、前記環状壁が前記ニップルを取り囲み、前記ニップルが前記環状壁の前記直線部分の端部に配置される、請求項１に記載のカートリッジ。
【請求項４】
前記環状壁が前記ニップルから離間され、管状部材または歯科用給水管を前記ニップルに取り付けることを可能にする、請求項３に記載のカートリッジ。
【請求項５】
前記前記環状壁がその内部に形成されたねじ山を含み、前記ねじ山は歯科用ユニット給水管と協働するように構成される、請求項３に記載のカートリッジ。
【請求項６】
前記環状壁の前記直線部分が、歯科用給水管と協働するように構成されたルアー継手を含む、請求項３に記載のカートリッジ。
【請求項７】
前記第２のフィルタに隣接して配置されたワイヤスクリーンをさらに含む、請求項３に記載のカートリッジ。
【手続補正２】
【補正対象書類名】明細書
【補正対象項目名】００３７
【補正方法】変更
【補正の内容】
【００３７】
様々な実施形態では、図４および５に示されるように、外面３０は、環状壁４８およびニップル３８を含む。環状壁４８は、ニップル３８を囲むことができ、ニップルは、環状壁の直線部分３４の端部で第２のフィルタ２８に隣接して配置される。多くの用途において、環状壁４８は、ニップルから間隔を置いて配置され、管状部材または歯科用給水管５１４（図１２）をニップル３８に取り付けることを可能にする。いくつかの態様では、環状壁の内部長は、約５ｍｍから約９ｍｍまで、特に約５ｍｍ、６、７、８から、約９ｍｍまで変化し得る。特定の態様では、環状壁４８は、歯科用給水管５４１と協働するように構成され（図１２）、その内部に形成されたねじ山４０を含む（図２）。
【手続補正３】
【補正対象書類名】図面
【補正対象項目名】図１
【補正方法】変更
【補正の内容】
【図１】
2021500236.tif 000001
【手続補正４】
【補正対象書類名】図面
【補正対象項目名】図２
【補正方法】変更
【補正の内容】
【図２】
2021500236.tif 000002
【手続補正５】
【補正対象書類名】図面
【補正対象項目名】図２Ａ
【補正方法】変更
【補正の内容】
【図２Ａ】
2021500236.tif 000003
【手続補正６】
【補正対象書類名】図面
【補正対象項目名】図４
【補正方法】変更
【補正の内容】
【図４】
2021500236.tif 000004
【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
基板をコーティングする方法であって、
（ｉ）溶媒中の染料および結合剤の懸濁液を用意するステップであって、結合剤に対する染料の比率は４０ｗｔ％超であり、染料は溶媒中に均一に分散しているステップと；
（ｉｉ）懸濁液を基板上にスプレーコーティングするステップであって、溶媒の大部分はスプレーコーティングステップ中に蒸発して、基板上に染料および結合剤の多孔質コーティングをもたらすステップと；
（ｉｉｉ）コーティング厚が少なくとも３０マイクロメートルとなるまでステップ（ｉｉ）を継続するステップと
を含み、染料はカーボンナノチューブを全く含まず、
基板上の染料と結合剤のコーティングが最大０．７５ｇ／ｃｍ3の密度を有し、光反射率を抑制する光「捕捉部」として機能する細孔または空洞をもたらすことを特徴とする方法。
【請求項２】
ステップ（ｉｉ）において基板上にコーティングされる懸濁液の流速が、１ｃｍ-2当たり０．０５ｇ／秒〜２ｇ／秒である、請求項１に記載の方法。
【請求項３】
結合剤が、ポリ酢酸ビニル、もしくは酢酸ビニル、ネオデカン酸ビニルおよび（メタ）アクリル酸エステルの混合物、もしくは酢酸ビニル官能基の成分を含む任意の結合剤である、または結合剤がアクリルベースである、請求項１から２のいずれか一項に記載の方法。
【請求項４】
結合剤に対する溶媒の比率が、２：１〜１４：１である、請求項１から３のいずれか一項に記載の方法。
【請求項５】
ステップ（ｉｉ）における溶媒の蒸発が、得られるコーティングが１００ｎｍ〜７００ｎｍの範囲のサイズの空洞を有するように制御される、請求項１から４のいずれか一項に記載の方法。
【請求項６】
ステップ（ｉ）における結合剤に対する染料の比率が、１２０ｗｔ％超である、請求項１から５のいずれか一項に記載の方法。
【請求項７】
（ｉｖ）ステップ（ｉｉｉ）のコーティングをプラズマエッチングして、コーティング構造から結合剤を選択的に除去し、それにより追加の光捕捉空洞を形成し、より多くの吸収染料を入射光子に曝露させる追加のステップを含む、請求項１から６のいずれか一項に記載の方法。
【請求項８】
プラズマエッチングが、０．０５Ｗ／ｃｍ2〜０．３Ｗ／ｃｍ2の電力密度で行われる、請求項７に記載の方法。
【請求項９】
電力密度が、約０．１Ｗ／ｃｍ2である、請求項８に記載の方法。
【請求項１０】
プラズマエッチングが、６０〜１２００秒の期間行われる、請求項７から９のいずれか一項に記載の方法。
【請求項１１】
プラズマエッチングが、０．１〜２Ｔｏｒｒ(１３．３〜２６６．６Ｐａ)の圧力下で行われる、請求項７から１０のいずれか一項に記載の方法。
【請求項１２】
ステップ（ｉｖ）が、酸素、Ｏ2およびＮ2の混合物、またはＯ2およびＨｅの混合物の存在下で行われる、請求項７から１１のいずれか一項に記載の方法。
【請求項１３】
（ｖ）ステップ（ｉｖ）のコーティングの少なくとも一部に疎水性コーティングを堆積させるために、ステップ（ｉｖ）のコーティングを、反応チャンバ内でフッ化炭素を含むコーティング前駆体の存在下でプラズマに供する追加のステップを含む、請求項７から１２のいずれか一項に記載の方法。
【請求項１４】
コーティング前駆体が、ＣＦ4およびＣ2Ｈ4の混合物である、請求項１３に記載の方法。
【請求項１５】
Ｃ2Ｈ4に対するＣＦ4の比率が、３：１〜２０：１である、請求項１４に記載の方法。
【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
装置本体（６）と、
前記装置本体に取り付けられた１つまたは複数の皮膚挟持部材（１）であって、患者の皮膚（７）の長手方向の折り目を挟むように移動可能である皮膚挟持部材と、
使用時に、針を前記装置本体（６）の外に出し、針経路に沿って、前記挟持部材（１）の間に挟まれた前記皮膚（７）の長手方向の折り目に駆動し、その後、前記針を引き抜くように構成された駆動機構であって、前記針経路は、前記皮膚（７）の長手方向の折り目に実質的に平行に延びる駆動機構と、
前記皮膚（７）の長手方向の折り目の長さに沿った挟持を検出するための複数の感知手段（２２；２３）を含むことを特徴とする、針送達装置。
【請求項２】
使用時に、前記針を通して医薬組成物を送達するように構成された医薬組成物送達機構をさらに含む、請求項１に記載の針送達装置。
【請求項３】
前記装置本体（６）内の前記針経路は、前記針経路が前記装置本体（６）を離れるときに方向が変化する、請求項１または２に記載の針送達装置。
【請求項４】
少なくとも１つの針（８）を含み、任意選択で、前記少なくとも１つの針（８）の少なくとも一部が可撓性である、請求項１〜３のいずれか１項に記載の針送達装置。
【請求項５】
前記少なくとも１つの針を前記針経路に沿って案内するように構成されたガイド部材（１１，１２）をさらに含み、任意選択で、前記ガイド部材（１１，１２）は、ローラであるか、またはローラを含む、請求項１〜４のいずれか１項に記載の針送達装置。
【請求項６】
前記針（８）の少なくとも一部は可撓性であり、前記少なくとも１つの針（８）が、弧状経路を通過した後に細長い直線形状に戻るように構成される、請求項４または５に記載の針送達装置。
【請求項７】
前記装置本体（６）内に配置されると、前記少なくとも１つの針（８）が保護シース（１３）によって覆われる、請求項４〜６のいずれか１項に記載の針送達装置。
【請求項８】
前記保護シース（１３）は、剛性セクション（１４）および可撓性セクション（１３ａ）を有し、前記剛性セクション（１４）は、前記少なくとも１つの針（８）のチップを囲み、前記少なくとも１つの針（８）が、前記駆動機構の作動時に、前記剛性セクション（１４）から出るのを可能にする開口部を含む、請求項７に記載の針送達装置。
【請求項９】
前記保護シース（１３）は、前記開口部を覆う封止膜（１５）を含み、前記封止膜（１５）は、前記少なくとも１つの針によって貫通可能である、請求項８に記載の針送達装置。
【請求項１０】
前記少なくとも１つの針（８）は、約１２ｍｍ超、好ましくは約２０ｍｍ〜約２００ｍｍ、より好ましくは約２０ｍｍ〜約１００ｍｍ、より好ましくは約２０ｍｍ〜約５０ｍｍの長さを有する、請求項４〜９のいずれか１項に記載の針送達装置。
【請求項１１】
前記医薬組成物送達機構と流体連通している医薬組成物リザーバを含む、請求項１〜１０のいずれか１項に記載の針送達装置。
【請求項１２】
前記皮膚挟持部材（１）は、前記皮膚に注入された前記医薬組成物のボリュームに基づいて自動的に調整するように構成され、または、前記皮膚挟持部材（１）は、前記挟まれた皮膚の圧力に基づいて圧力センサを使用して自動的に調整するように構成される、請求項１〜１１のいずれか１項に記載の針送達装置。
【請求項１３】
前記感知手段（２２；２３）が、間に挟まれた皮膚の存在を検出するための少なくとも１つの光源および少なくとも１つの光センサを含むか、または、
前記感知手段（２２；２３）が、挟まれた皮膚との接触を検出するための少なくとも１つの機械スイッチを含むか、または、
前記感知手段（２２；２３）が、挟まれた皮膚との接触を検出するための電気センサを含む、請求項１〜１２のいずれか１項に記載の針送達装置。
【請求項１４】
前記感知手段（２２；２３）が圧力センサである、請求項１に記載の針送達装置。
【請求項１５】
皮膚（７）の長手方向の折り目の挟持を感知する方法であって、
請求項１〜１４のいずれか１項に記載の装置を患者の皮膚に接触させることと、
少なくとも１つの皮膚挟持部材（１）を移動させて、皮膚（７）の長手方向の折り目を挟持することと、
前記複数の感知手段（２２；２３）で前記皮膚の長手方向の折り目の前記挟持を感知することと、を含む、方法。
【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
ＡＦＴ骨格型のアルミノケイ酸塩モレキュラーシーブ。
【請求項２】
５〜５０の範囲内にあるＳｉＯ２／Ａｌ２Ｏ３モル比を有する、請求項１に記載のアルミノケイ酸塩モレキュラーシーブ。
【請求項３】
１０〜２５の範囲内にあるＳｉＯ２／Ａｌ２Ｏ３モル比を有する、請求項１に記載のアルミノケイ酸塩モレキュラーシーブ。
【請求項４】
その焼成された形態で、下記のピークを含むＸ線回折パターンを有する、請求項１に記載のアルミノケイ酸塩モレキュラーシーブ。
【表１】
2021500286.tif 000001
【請求項５】
請求項１に記載のアルミノケイ酸塩モレキュラーシーブであって、
その細孔構造内に、ヘキサメトニウムカチオンと、１−メチル−１−ブチルピロリジニウムカチオン及び１−メチル−１−プロピルピペリジニウムカチオンの１つ以上と、を含有する、前記のアルミノケイ酸塩モレキュラーシーブ。
【請求項６】
ＡＦＴ骨格型のアルミノケイ酸塩モレキュラーシーブを合成する方法であって：
（ａ）下記を含む反応混合物を調製すること：
（１）酸化ケイ素の供給源；
（２）酸化アルミニウムの供給源；
（３）第１族金属（Ｍ）の供給源；
（４）ヘキサメトニウムジカチオンを含む第１の有機テンプレート（Ｑ１）の供給源；
（５）１−メチル−１−アルキルピロリジニウムカチオン及び１−メチル−１−アルキルピペリジニウムカチオンの１つ以上を含む第２の有機テンプレート（Ｑ２）の供給源、ここで、各々のアルキル基は、独立して、Ｃ１−Ｃ５アルキルである；
（６）水酸化物イオンの供給源；及び
（７）水；及び
（ｂ）当該反応混合物を、アルミノケイ酸塩モレキュラーシーブの結晶を形成するのに十分な結晶化条件に供すること、
を含み、
酸化アルミニウム及び酸化ケイ素の供給源が、ゼオライトＹを含み、
第２の有機テンプレート（Ｑ２）の供給源が、１−メチル−１−ブチルピロリジニウムカチオン及び１−メチル−１−プロピルピペリジニウムカチオンの１つ以上を含む、前記の方法。
【請求項７】
反応混合物が、モル比で下記の組成を有する、請求項６に記載の方法。
【表２】
2021500286.tif 000002
【請求項８】
反応混合物が、モル比で下記の組成を有する、請求項７に記載の方法。
【表３】
2021500286.tif 000003
【請求項９】
結晶化条件が、１２５℃〜２００℃の温度を含む、請求項６に記載の方法。
【請求項１０】
有機化合物を含む供給原料を、転化生成物に転化するプロセスであって、当該供給原料を、有機化合物転化条件で、請求項１のアルミノケイ酸塩モレキュラーシーブの活性形態を含む触媒と接触させることを含む、前記のプロセス。
【手続補正２】
【補正対象書類名】明細書
【補正対象項目名】００６２
【補正方法】変更
【補正の内容】
【００６２】
乾燥後、アンモニウム交換生成物のミクロ細孔容積が、ＢＥＴ法を介して、窒素物理吸着を使用して測定され、データが分析された。モレキュラーシーブは、０．２３ｃｍ３／ｇのミクロ細孔容積を示した。
本発明に関連して、以下の内容を更に開示する。
［１］
ＡＦＴ骨格型のアルミノケイ酸塩モレキュラーシーブ。
［２］
５〜５０の範囲内にあるＳｉＯ２／Ａｌ２Ｏ３モル比を有する、［１］に記載のアルミノケイ酸塩モレキュラーシーブ。
［３］
１０〜２５の範囲内にあるＳｉＯ２／Ａｌ２Ｏ３モル比を有する、［１］に記載のアルミノケイ酸塩モレキュラーシーブ。
［４］
その焼成された形態で、下記のピークを含むＸ線回折パターンを有する、［１］に記載のアルミノケイ酸塩モレキュラーシーブ。
【表１】
2021500286.tif 000004
［５］
ＡＦＴ骨格型のアルミノケイ酸塩モレキュラーシーブであって、
その細孔構造内に、ヘキサメトニウムカチオンと、１−メチル−１−アルキルピロリジニウムカチオン及び１−メチル−１−アルキルピペリジニウムカチオンの１つ以上と、を含有し、ここで、各々のアルキル基は、独立して、Ｃ１−Ｃ５アルキルである、前記のＡＦＴ骨格型のアルミノケイ酸塩モレキュラーシーブ。
［６］
［５］に記載のアルミノケイ酸塩モレキュラーシーブであって、
その細孔構造内に、ヘキサメトニウムカチオンと、１−メチル−１−ブチルピロリジニウムカチオン及び１−メチル−１−プロピルピペリジニウムカチオンの１つ以上と、を含有する、前記のアルミノケイ酸塩モレキュラーシーブ。
［７］
ＡＦＴ骨格型のアルミノケイ酸塩モレキュラーシーブを合成する方法であって：
（ａ）下記を含む反応混合物を調製すること：
（１）酸化ケイ素の供給源；
（２）酸化アルミニウムの供給源；
（３）第１族金属（Ｍ）の供給源；
（４）ヘキサメトニウムジカチオンを含む第１の有機テンプレート（Ｑ１）の供給源；
（５）１−メチル−１−アルキルピロリジニウムカチオン及び１−メチル−１−アルキルピペリジニウムカチオンの１つ以上を含む第２の有機テンプレート（Ｑ２）の供給源、ここで、各々のアルキル基は、独立して、Ｃ１−Ｃ５アルキルである；
（６）水酸化物イオンの供給源；及び
（７）水；及び
（ｂ）当該反応混合物を、アルミノケイ酸塩モレキュラーシーブの結晶を形成するのに十分な結晶化条件に供すること、
を含む、前記の方法。
［８］
反応混合物が、モル比で下記の組成を有する、［７］に記載の方法。
【表２】
2021500286.tif 000005
［９］
反応混合物が、モル比で下記の組成を有する、［７］に記載の方法。
【表３】
2021500286.tif 000006
［１０］
酸化アルミニウム及び酸化ケイ素の供給源が、ゼオライトＹを含む、［７］に記載の方法。
［１１］
第２の有機テンプレート（Ｑ２）の供給源が、１−メチル−１−ブチルピロリジニウムカチオン及び１−メチル−１−プロピルピペリジニウムカチオンの１つ以上を含む、［７］に記載の方法。
［１２］
結晶化条件が、１２５℃〜２００℃の温度を含む、［７］に記載の方法。
［１３］
有機化合物を含む供給原料を、転化生成物に転化するプロセスであって、当該供給原料を、有機化合物転化条件で、［１］のアルミノケイ酸塩モレキュラーシーブの活性形態を含む触媒と接触させることを含む、前記のプロセス。